(57)【要約】      （修正有）【課題】コーヒーを入れる温度と飲用の温度を制御できるコーヒーカップを提供する。【解決手段】コーヒーカップは、コーヒーカップ主体１０と送り込み溝２７を含み、前記コーヒーカップ主体の中には円形溝３９が設置され、前記円形溝の上端壁が貯水溝１４により外部と連通しており、前記貯水溝の左端壁の中には左方に開口した温度溝１２が設置され、前記温度溝の右端壁には温度計１３が植設され、前記円形溝の中には混合機構６０が左右対称的に設置され、前記混合機構は前記円形溝の下端壁の中に位置している二つの弾性溝を含む。コーヒーを入れる時、カップ蓋１６を外し、貯水溝の中に湯を注ぎ、温度計がその時点の湯の温度を示すことができ、温度計を観察し、コーヒーが飲用に適する温度になればコーヒーを飲む。【選択図】図１
2020179114.tif 000002
【特許請求の範囲】
【請求項１】
正面視で、コーヒーカップ主体と送り込み溝を含み、前記コーヒーカップ主体の中には円形溝が設置され、前記円形溝の上端壁が貯水溝により外部と連通しており、前記貯水溝の左端壁の中には左方に開口した温度溝が設置され、前記温度溝の右端壁には温度計が植設され、前記円形溝の中には混合機構が左右対称的に設置され、前記混合機構は前記円形溝の下端壁の中に位置している二つの弾性溝を含み、右側の前記弾性溝の中には弾性ブロックがスライド可能に設置され、前記弾性ブロックの右端面には右端が前記弾性溝の右端壁と固定的に連結されている弾性ばねが固定されており、前記弾性ブロックの上端面には上端が前記円形溝の中に位置している弾性ロッドが固定されており、前記弾性ロッドの前端面には定位軸が回転可能に設置され、前記定位軸には斜めロッドが固定的に設置され、前記斜めロッドの中には回転軸が固定的に設置され、前記回転軸の後端には支持ブロックが回転可能に設置され、二つの前記支持ブロックの上側には一つの密封ブロックが設置され、前記支持ブロックと前記密封ブロックとが固定的に連結され、右側の前記弾性ロッドの右端面にはラックが固定されており、前記送り込み溝の中には送り込み機構が設置され、前記送り込み機構は上端が前記送り込み溝の中に位置している伝動軸を含み、前記伝動軸の下端と前記円形溝の下端壁とが回転可能に連結され、前記円形溝の中の伝動軸には前記ラックの前端面と噛み合って伝動しているギヤが固定的に設置され、前記送り込み溝の中の伝動軸の中には昇降溝が設置され、前記昇降溝の中には昇降ブロックがスライド可能に設置され、前記昇降ブロックの上端面には昇降ロッドが固定されており、前記昇降ロッドの上端にはベースが固定されており、前記ベースの上側には送り込みブロックが設置され、前記ベースと前記送り込みブロックとがフィルターにより固定的に連結され、前記送り込み溝の外端壁には螺旋溝が設置され、前記送り込みブロックの左端面には左端が前記螺旋溝の中に位置している弧状ブロックが固定されており、また、前記伝動軸が回転して前記弧状ブロックを連動させて前記螺旋溝に沿って運動させることができることを特徴とするコーヒーカップ。
【請求項２】
前記混合機構はまた前記円形溝の下端壁の中に位置している回転溝を含み、前記回転溝の下端壁が外部と連通しており、前記回転溝の外端壁には環状溝が設置され、前記環状溝の中には円弧面ブロックが左右対称的にスライド可能に設置され、二つの前記円弧面ブロックの間には一つの支持ベースが固定されており、前記支持ベースの上端面には上端が前記円形溝の中に位置している中心軸が固定されており、前記円形溝の後端壁にはリミットブロックと阻みブロックとが固定されており、前記中心軸の上端には前記リミットブロックと前記阻みブロックとの間に位置している楕円ブロックが固定されており、また、前記楕円ブロックを回転させることにより二つの前記斜めロッドを運動連動させることができることを特徴とする請求項１に記載のコーヒーカップ。
【請求項３】
前記送り込み機構はまた前記コービーカップ主体の右端面と固定的に連結されている取っ手を含み、前記送り込み溝の上端壁が水遮り口により外部と連通しており、前記水遮り口の中にはゴム栓が設置され、前記貯水溝の中には上端が外部に位置しているカップ蓋が設置され、前記カップ蓋の下端面には収納溝が設置され、前記ゴム栓の上端が前記収納溝の中に位置しており、また、前記カップ蓋を外せば、前記ゴム栓を前記水遮り口の中から引き抜くことができることを特徴とする請求項１に記載のコーヒーカップ。
【発明の詳細な説明】
【技術分野】
【０００１】
本発明はカップ分野に関わり、具体的にはコーヒーカップである。
【背景技術】
【０００２】
コーヒーカップは物を水に溶かす能力を強めてコーヒーを入れることに便利であるカップであり、コーヒーを入れる又は飲む過程において一定の飲用の温度範囲があり、それにより一番良い喉ごしに達し、しかし既存のコーヒーを入れる方式の多数は水の温度を測った後にコーヒーを入れるのであり、それは非常に不便であり、また飲むときの温度のコントロールに重視しない。
【先行技術文献】
【特許文献】
【０００３】
【特許文献１】中国特許出願公開第１０７５８１８５７号明細書
【発明の概要】
【発明が解決しようとする課題】
【０００４】
本発明はコーヒーカップを提供し、上記背景技術に取り上げられた問題を解決することを目的とする。
【課題を解決するための手段】
【０００５】
上記の目的を実現するため、本発明は以下の技術プランを提供する：コーヒーカップはコーヒーカップ主体と送り込み溝を含み、前記コーヒーカップ主体の中には円形溝が設置され、前記円形溝の上端壁が貯水溝により外部と連通しており、前記貯水溝の左端壁の中には左方に開口した温度溝が設置され、前記温度溝の右端壁には温度計が植設され、前記円形溝の中には混合機構が左右対称的に設置され、前記混合機構は前記円形溝の下端壁の中に位置している二つの弾性溝を含み、右側の前記弾性溝の中には弾性ブロックがスライド可能に設置され、前記弾性ブロックの右端面には右端が前記弾性溝の右端壁と固定的に連結されている弾性ばねが固定されており、前記弾性ブロックの上端面には上端が前記円形溝の中に位置している弾性ロッドが固定されており、前記弾性ロッドの前端面には定位軸が回転可能に設置され、前記定位軸には斜めロッドが固定的に設置され、前記斜めロッドの中には回転軸が固定的に設置され、前記回転軸の後端には支持ブロックが回転可能に設置され、二つの前記支持ブロックの上側には一つの密封ブロックが設置され、前記支持ブロックと前記密封ブロックとが固定的に連結され、右側の前記弾性ロッドの右端面にはラックが固定されており、前記送り込み溝の中には送り込み機構が設置され、前記送り込み機構は上端が前記送り込み溝の中に位置している伝動軸を含み、前記伝動軸の下端と前記円形溝の下端壁とが回転可能に連結され、前記円形溝の中の伝動軸には前記ラックの前端面と噛み合って伝動しているギヤが固定的に設置され、前記送り込み溝の中の伝動軸の中には昇降溝が設置され、前記昇降溝の中には昇降ブロックがスライド可能に設置され、前記昇降ブロックの上端面には昇降ロッドが固定されており、前記昇降ロッドの上端にはベースが固定されており、前記ベースの上側には送り込みブロックが設置され、前記ベースと前記送り込みブロックとがフィルターにより固定的に連結され、前記送り込み溝の外端壁には螺旋溝が設置され、前記送り込みブロックの左端面には左端が前記螺旋溝の中に位置している弧状ブロックが固定されており、また、前記伝動軸が回転して前記弧状ブロックを連動させて前記螺旋溝に沿って運動させることができる。
【０００６】
好ましくは、前記混合機構はまた前記円形溝の下端壁の中に位置している回転溝を含み、前記回転溝の下端壁が外部と連通しており、前記回転溝の外端壁には環状溝が設置され、前記環状溝の中には円弧面ブロックが左右対称的にスライド可能に設置され、二つの前記円弧面ブロックの間には一つの支持ベースが固定されており、前記支持ベースの上端面には上端が前記円形溝の中に位置している中心軸が固定されており、前記円形溝の後端壁にはリミットブロックと阻みブロックとが固定されており、前記中心軸の上端には前記リミットブロックと前記阻みブロックとの間に位置している楕円ブロックが固定されており、また、前記楕円ブロックを回転させることにより二つの前記斜めロッドを運動連動させることができる。
【０００７】
好ましくは、前記送り込み機構はまた前記コービーカップ主体の右端面と固定的に連結されている取っ手を含み、前記送り込み溝の上端壁が水遮り口により外部と連通しており、前記水遮り口の中にはゴム栓が設置され、前記貯水溝の中には上端が外部に位置しているカップ蓋が設置され、前記カップ蓋の下端面には収納溝が設置され、前記ゴム栓の上端が前記収納溝の中に位置しており、また、前記カップ蓋を外せば、前記ゴム栓を前記水遮り口の中から引き抜くことができる。
【発明の効果】
【０００８】
以上により、本発明の有益な効果：本装置はコーヒーを入れる温度と飲用の温度を制御でき、それによりユーザーはコーヒーを心地よく飲め、飲む人の生活の質を向上させ、またその操作が非常に簡単且つ便利であり、時間も節約できる。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のコーヒーカップの全体断面の正面構成概略図
【図２】図２は本発明のコーヒーカップの中の中心軸の拡大構成概略図
【図３】図３は本発明のコーヒーカップの中の楕円ブロックの平面断面拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜３を参照し、本発明のコーヒーカップはコーヒーカップ主体１０と送り込み溝２７を含み、前記コーヒーカップ主体１０の中には円形溝３９が設置され、前記円形溝３９の上端壁が貯水溝１４により外部と連通しており、前記貯水溝１４の左端壁の中には左方に開口した温度溝１２が設置され、前記温度溝１２の右端壁には温度計１３が植設され、前記円形溝３９の中には混合機構６０が左右対称的に設置され、前記混合機構６０は前記円形溝３９の下端壁の中に位置している二つの弾性溝４１を含み、右側の前記弾性溝４１の中には弾性ブロック４３がスライド可能に設置され、前記弾性ブロック４３の右端面には右端が前記弾性溝４１の右端壁と固定的に連結されている弾性ばね４４が固定されており、前記弾性ブロック４３の上端面には上端が前記円形溝３９の中に位置している弾性ロッド４２が固定されており、前記弾性ロッド４２の前端面には定位軸４５が回転可能に設置され、前記定位軸４５には斜めロッド４７が固定的に設置され、前記斜めロッド４７の中には回転軸４８が固定的に設置され、前記回転軸４８の後端には支持ブロック４９が回転可能に設置され、二つの前記支持ブロック４９の上側には一つの密封ブロック１１が設置され、前記支持ブロック４９と前記密封ブロック１１とが固定的に連結され、右側の前記弾性ロッド４２の右端面にはラック３３が固定されており、前記送り込み溝２７の中には送り込み機構６１が設置され、前記送り込み機構６１は上端が前記送り込み溝２７の中に位置している伝動軸３０を含み、前記伝動軸３０の下端と前記円形溝３９の下端壁とが回転可能に連結され、前記円形溝３９の中の伝動軸３０には前記ラック３３の前端面と噛み合って伝動しているギヤ３１が固定的に設置され、前記送り込み溝２７の中の伝動軸３０の中には昇降溝２９が設置され、前記昇降溝２９の中には昇降ブロック２８がスライド可能に設置され、前記昇降ブロック２８の上端面には昇降ロッド２６が固定されており、前記昇降ロッド２６の上端にはベース２３が固定されており、前記ベース２３の上側には送り込みブロック２１が設置され、前記ベース２３と前記送り込みブロック２１とがフィルター２２により固定的に連結され、前記送り込み溝２７の外端壁には螺旋溝２５が設置され、前記送り込みブロック２１の左端面には左端が前記螺旋溝２５の中に位置している弧状ブロック１７が固定されており、また、前記伝動軸３０が回転して前記弧状ブロック１７を連動させて前記螺旋溝２５に沿って運動させることができる。
【００１３】
有益なように、前記混合機構６０はまた前記円形溝３９の下端壁の中に位置している回転溝３８を含み、前記回転溝３８の下端壁が外部と連通しており、前記回転溝３８の外端壁には環状溝３７が設置され、前記環状溝３７の中には円弧面ブロック３６が左右対称的にスライド可能に設置され、二つの前記円弧面ブロック３６の間には一つの支持ベース３５が固定されており、前記支持ベース３５の上端面には上端が前記円形溝３９の中に位置している中心軸４０が固定されており、前記円形溝３９の後端壁にはリミットブロック５０と阻みブロック３２とが固定されており、前記中心軸４０の上端には前記リミットブロック５０と前記阻みブロック３２との間に位置している楕円ブロック４６が固定されており、また、前記楕円ブロック４６を回転させることにより二つの前記斜めロッド４７を運動連動させることができる。
【００１４】
有益なように、前記送り込み機構６１はまた前記コービーカップ主体１０の右端面と固定的に連結されている取っ手２４を含み、前記送り込み溝２７の上端壁が水遮り口１８により外部と連通しており、前記水遮り口１８の中にはゴム栓１９が設置され、前記貯水溝１４の中には上端が外部に位置しているカップ蓋１６が設置され、前記カップ蓋１６の下端面には収納溝２０が設置され、前記ゴム栓１９の上端が前記収納溝２０の中に位置しており、また、前記カップ蓋１６を外せば、前記ゴム栓１９を前記水遮り口１８の中から引き抜くことができる。
【００１５】
以下、出願人は附図１〜３及び上記に述べた本出願のコーヒーカップの具体的に構成を参考して本出願のコーヒーカップの使用方法を詳しく紹介する：
【００１６】
コーヒーを入れる時、カップ蓋１６を外し、貯水溝１４の中に湯を注ぎ、温度計１３がその時点の湯の温度を示すことができ、ゴム栓１９を引き抜き、送り込みブロック２１の中にコーヒー粉を加え、温度計１３に示された温度がコーヒーを入れるのに適合の温度に達した時、支持ベース３５を回転させ、楕円ブロック４６を回転連動させ、二つの斜めロッド４７をプッシュして運動させ、それにより密封ブロック１１を下降連動させて円形溝３９を開け、それにより湯が円形溝３９の中に入り、右側の斜めロッド４７がラック３３を連動させて右へ運動させ、ラック３３とギヤ３１との噛み合いにより、伝動軸３０を回転連動させ、それにより弧状ブロック１７を連動させて螺旋溝２５の中で運動させ、それによりフィルター２２が湯の中に入り、コーヒーカップ主体１０を揺り動かしてコーヒーを入れることが完成され、温度計１３を観察し、コーヒーが飲用に適する温度になればコーヒーを飲む。
【００１７】
本発明の有益な効果：本装置はコーヒーを入れる温度と飲用の温度を制御でき、それによりユーザーはコーヒーを心地よく飲め、飲む人の生活の質を向上させ、またその操作が非常に簡単且つ便利であり、時間も節約できる。
【００１８】
以上は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定された保護範囲を基準とするべきである。
【図１】
2020179114.tif 000003
【図２】
2020179114.tif 000004
【図３】
2020179114.tif 000005